(57)【要約】【課題】インキの種類や粘度に関係なくインキ追従性に優れたボールペンチップ及びそれを用いたボールペンを提供する。【解決手段】チップ先端のボール抱持室にボールを回転自在に抱持し、該ボール抱持室の底壁の中央に、チップ後端部の内孔に連通するインキ流通孔と、該インキ流通孔から放射状に延びるインキ流通溝を有するボールペンチップにおいて、前記インキ流通溝が、溝幅の異なる２種類の溝を交互に形成したことを特徴とする。【選択図】          図１
2006289807.tif 000002
【特許請求の範囲】
【請求項１】
チップ先端のボール抱持室にボールを回転自在に抱持し、該ボール抱持室の底壁の中央に、チップ後端部の内孔に連通するインキ流通孔と、該インキ流通孔から放射状に延びるインキ流通溝を有するボールペンチップにおいて、前記インキ流通溝が、溝幅の異なる２種類の溝を交互に形成したことを特徴とするボールペンチップ。
【請求項２】
前記溝幅の異なる２種類の溝が、外接円を同一にしてあることを特徴とする請求項１に記載のボールペンチップ。
【請求項３】
前記溝幅の異なる２種類の溝が、溝幅の小さい方の溝の深さを、もう一方の溝の深さよりチップ後端側方向に深く形成したことを特徴とする請求項１または２に記載のボールペンチップ。
【請求項４】
前記インキ流通溝が、前記インキ流通孔の中心に対して左右対称に形成したことを特徴とする請求項１ないし３の何れか１項に記載のボールペンチップ。
【請求項５】
前記インキ流通溝が、溝幅がボール径の５％〜２０％と、ボール径の１０％〜３０％の２種類からなるとともに、前記５％〜２０％の溝幅をＳ、前記１０％〜３０％の溝幅をＴとしたとき、Ｓ＜Ｔを満足することを特徴とする請求項４に記載のボールペンチップ。
【請求項６】
前記ボール抱持室の底壁にボールと同形のボール座を形成するとともに、ボール座の投影面積がボールの最大断面積の１５％〜３５％としたことを特徴とする請求項１ないし５の何れか１項に記載のボールペンチップ。
【請求項７】
請求項１ないし５の何れか１項に記載のボールペンチップを、インキ収容筒の先端に装着したボールペンであって、前記インキ収容筒内に粒径が１μｍ以上の顔料または樹脂粒子を含有したボールペン用インキを収容したことを特徴とするボールペン。
【発明の詳細な説明】
【技術分野】
【０００１】
本発明は、チップ先端のボール抱持室にボールを回転自在に抱持してなるボールペンチップ及びそれを用いたボールペンに関する。
【背景技術】
【０００２】
従来から、ボール抱持室の底壁の中央に、インキ流通孔に連通するインキ流通溝を有するボールペンチップはよく知られている。こうしたボールペンチップにおいて、実開平７−３１３８２号公報「ボールペン」のように、インキ流通孔から放射状に延び、チップ後端部の内孔に達するインキ溝や、実開平７−３１３８２号公報「ボールペン」のように、インキ流通孔から放射状に延び、チップ後端部の内孔に達しないタイプのインキ流通溝もよく知られている。
【０００３】
前者のインキ流通孔から放射状に延び、チップ後端部の内孔に達するインキ溝は、製造時においてツールに付加が大きく、ツール寿命が短いという問題があるので、後者のインキ流通孔から放射状に延び、チップ後端部の内孔に達しないタイプのインキ流通溝のほうが製造コストを抑えることができる。
【０００４】
こうした、インキ流通孔から放射状に延び、チップ後端部の内孔に達しないタイプのインキ流通溝を有するボールペンチップにおいて、特開平８−２０７４８２号公報「ボールペン用金属チップ」には、インキ流通孔の径とインキ流通孔の長さを一定比率とし、上向き放置後の再筆記のカスレ防止や高速筆記時のインキ追従性を向上させたボールペンチップが開示されている。
【０００５】
インキ追従性を考慮する上で、特許文献２に開示されているように、インキ流通孔の径とインキ流通孔の長さは、重要な要件の一つではありますが、特開２００２−５２８８４号「ボールペンチップ」等に記載されているように、インキ流通溝の大きさも、インキ追従性に大きく起因している。
【特許文献１】「実開平７−３１３８２号公報」
【特許文献２】「特開平８−２０７４８２号公報」
【発明の開示】
【発明が解決しようとする課題】
【０００６】
ところで、ボールペンに用いるインキには、大別して、油性インキ、水性インキの２種類のインキがあり、インキ吐出のメカニズムも相違している。
【０００７】
これは、前者の油性インキの吐出メカニズムは、ペン先のボールが回転し、ボールに付着したインキが筆記面に転写されることによって筆跡となるのに対して、後者の水性インキの吐出メカニズムは、ペン先のボールの回転を背景にして、筆記面に毛管・浸透作用によってインキが移行することによって筆跡となる等、インキ吐出のメカニズムが相違している。
【０００８】
前述した通り、インキ特性によってインキが追従するメカニズムが異なるので、ボールペンチップ構造としては、こうした各インキの特性に合わせて設定しているのが現実であった。
【０００９】
本発明の目的は、インキの種類や粘度に関係なくインキ追従性に優れたボールペンチップ及びそれを用いたボールペンを提供することである。
【課題を解決するための手段】
【００１０】
本発明は、
「１．本発明は、チップ先端のボール抱持室にボールを回転自在に抱持し、該ボール抱持室の底壁の中央に、チップ後端部の内孔に連通するインキ流通孔と、該インキ流通孔から放射状に延びるインキ流通溝を有するボールペンチップにおいて、前記インキ流通溝が、溝幅の異なる２種類の溝を交互に形成したことを特徴とする。
２．前記溝幅の異なる２種類の溝が、外接円を同一にしてあることを特徴とする第１項に記載のボールペンチップ。
３．前記溝幅の異なる２種類の溝が、溝幅の小さい方の溝の深さを、もう一方の溝の深さよりチップ後端側方向に深く形成したことを特徴とする第１項または第２項に記載のボールペンチップ。
４．前記インキ流通溝が、前記インキ流通孔の中心に対して左右対称に形成したことを特徴とする第１項ないし第３項の何れか１項に記載のボールペンチップ。
５．前記インキ流通溝が、溝幅がボール径の５％〜２０％と、ボール径の１０％〜３０％の２種類からなるとともに、前記５％〜２０％の溝幅をＳ、前記１０％〜３０％の溝幅をＴとしたとき、Ｓ＜Ｔを満足することを特徴とする第４項に記載のボールペンチップ。
６．前記ボール抱持室の底壁にボールと同形のボール座を形成するとともに、ボール座の投影面積がボールの最大断面積の１５％〜３５％としたことを特徴とする第１項ないし第５項の何れか１項に記載のボールペンチップ。
７．第１項ないし第６項の何れか１項に記載のボールペンチップを、インキ収容筒の先端に装着したボールペンであって、前記インキ収容筒内に粒径が１μｍ以上の顔料または樹脂粒子を含有したボールペン用インキを収容したことを特徴とするボールペン。」
である。
【発明の効果】
【００１１】
インキの種類や粘度に関係なくインキ追従性に優れたボールペンチップ及びそれを用いたボールペンを提供することができた。
【発明を実施するための最良の形態】
【００１２】
次に図面を参照しながら、本発明のボールペンチップ及びそれを用いたボールペンの実施例を説明するが、本発明は以下の実施例に限定されるものではない。
【実施例１】
【００１３】
図１から図３に示すボールペンチップ１は、チップ本体のボール抱持室２の底壁４に、ボール１１と略同形のボール座７を形成し、このボール座７にボール１１を載置し、チップ先端縁８を内側にかしめたかしめ部９を形成することより、ボール１１を回転自在に抱持してある。また、ボール抱持室２の底壁４には、チップ後端部の内孔１０に連通するインキ流通孔３と、このインキ流通孔３から放射状に延び、チップ後端部の内孔１０に連通しない８個のインキ流通溝５、６を形成してある。
【００１４】
インキ流通溝５、６は、溝幅の異なる２種類の溝を交互に４個づつ形成してあり、インキ流通溝５の溝幅Ｓ１を、インキ流通溝６の溝幅Ｔ１より小さくしてある。（Ｓ１＜Ｔ１）また、インキ流通溝５、６は、インキ流通孔３の中心に対して左右対称に形成してある。
【００１５】
溝幅の小さいインキ流通溝５は、水性インキのインキ追従性向上に寄与する。これは、毛細管作用は、溝幅が小さいほうが働きやすいためである。尚、本発明の溝幅は、図１、２に示すような縦断面によって得られる溝幅の最大幅Ｓ１、Ｔ１を示す。
【００１６】
一方、油性インキは、ボール１１に付着したインキが筆記面に転写されることから、インキを溜める空間としてインキ流通溝５、６が働いているため、溝幅を大きくしてインキを溜める空間を多くすることでインキ追従性が向上するので、インキ流通溝５よりも溝幅の大きいインキ流通溝６を形成してある。
【００１７】
インキ流通溝５、６の形状は特に限定されるものではないが、インキ流通溝５、６の外接円Ｒが異なるとボール１１に均一にインキ付着しない恐れがあるため、インキ流通溝５、６の外接円Ｒ１を同一にすることが好ましい。
【００１８】
また、インキ流通溝５、６の数は特に限定されないが、溝幅の異なる２種類のインキ流通溝を交互に形成するとともに、インキ流通孔３の中心に対して左右対称、例えば６個、８個に形成することによって、ボール１１へ供給されるインキに偏りができにくいので好ましい。
【００１９】
インキ流通孔３の中心に対して左右対称とする場合には、インキ流通溝の溝幅は、小さい溝幅をボール径の５％〜２０％、大きい溝幅をボール径の１０％〜３０％とすることが好ましい。これは、小さい溝幅が、ボール径の５％未満であると、毛細管力は働きやすいが、インキ中の成分がインキ流通溝に根詰まりして、インキ流通溝を閉鎖する恐れがあり、２０％を超えると毛細管力の働きが悪くなり追従性が低下するためである。また、大きい溝幅が、ボール径の１０％未満であると、インキを貯蓄する空間が少なく追従性が悪くなり、３０％を超えると、インキ流通孔の中心に対して左右対称とするには、合計６個以上のインキ流通溝が必要であるため、溝幅の小さいインキ流通溝を形成する部分が少なくなるので、製造が困難になるためである。また、３０％を超えるとボールとボール座の接触面積が少なくなり、ボール座が摩耗しやくなる。
【実施例２】
【００２０】
図４から図６に示すボールペンチップ２１は、実施例１と同様にして、チップ本体のボール抱持室２２の底壁２４に、ボール１１と略同形のボール座２７を形成し、このボール座２７にボール１１を載置し、チップ先端縁２８を内側にかしめたかしめ部２９を形成することより、ボール１１を回転自在に抱持してボールペンチップ２１を得ている。
【００２１】
また、ボール抱持室２２の底壁２４には、チップ後端部の内孔３０に連通するインキ流通孔２３と、このインキ流通孔３から放射状に延び、チップ後端部の内孔１０に連通しないインキ流通溝２５、２６を、溝幅の異なる２種類の溝を交互に４個づつ、計８個形成してある。実施例１と同様に、インキ流通溝２５の溝幅Ｓ２を、インキ流通溝２６の溝幅Ｔ２より小さく（Ｓ２＜Ｔ２）、インキ流通孔２３に対して左右対称に形成してある。また、インキ流通溝２５、２６の外接円Ｒ１は同一にしてある。
【００２２】
溝幅Ｔ２の大きいインキ流通溝２６の深さＭに対して、溝幅Ｓ２の小さいインキ流通溝２５の深さＬを、チップ後端側方向に深く（Ｍ＜Ｌ）形成してある。インキ流通溝２５、２６の深さは特に限定されないが、ツールの寿命を考慮してあまり深く形成しないことが好ましいが、毛細管作用は、軸心方向に長いほうが働きやすいので、インキ追従性をさらに向上させるには、溝幅の小さいインキ流通溝２５のみをチップ後端側方向に深く形成することが好ましい。尚、本発明の溝の深さは、インキ流通孔２３に連接する部分の深さである。
【実施例３】
【００２３】
図７に示すように、本発明のボールペンチップを用いてボールペンとして使用する場合には、例えば、実施例１のボールペンチップ１を、インキ収容筒４２の先端に装着し、インキ収容筒の後端に尾栓４３を装着するとともに、インキ収容筒４２内にボールペン用インキ４４を収容してボールペン４１とすることができる。また、本実施例では、インキ４４に追従するグリース状のインキ追従体４５とボールペンチップ内にはコイルスプリング４６を配設してある。
【００２４】
ボールペン用インキは特に限定されるものではないが、粒径が１μｍ以上の顔料及び／または樹脂粒子を含有した水性ボールペン用インキを用いたボールペンに本発明のボールペンチップは特に効果的である。これは、前述した通り、毛細管作用は、溝幅が小さいほうが働きやすいが、１μｍ以上の粒径が大きい顔料及び／または樹脂粒子は、インキ流通溝に根詰まりして、インキ流通溝を閉鎖する恐れがあるが、本発明のボールペンチップは、溝幅の異なる２種類のインキ流通溝を形成してあるので、幅の小さい溝が閉鎖しても、幅の大きい溝によって、インキの流れを得ることができるので筆記できなくなることを防止できるためである。
【００２５】
本実施例では、便宜上、ボール抱持室の底壁にボール座を形成してあるが、ボール座を形成しない構造であってもよい。また、本発明のボールペンチップは、溝幅の異なるインキ流通溝を交互に、例えば、実施例のように４個づつ形成してあるので、どちらか一方（４個）の溝幅を変化させるだけで、ボールとボール抱持室の底壁との接触面積が変化するので、従来の同一形状のインキ流通溝を複数、例えば８個、形成したボールペンチップに比べ、ボールとボール抱持室の底壁との接触面積を変化させやすく、インキ追従性のみならず、ボールとボール抱持室の底壁との接触面積の相違による書き味やボール抱持室の底壁の摩耗にも考慮して作製することができるので好ましい。
【００２６】
また、ボール座を形成する場合には、ボール座のボールの投影面積が小さいものはボール座の凹みや磨耗が生じやすいので、耐凹みや磨耗に対してはボール座の投影面積はボールの最大断面積の１５％以上のものが良い。また、筆跡時に線かすれが生じたりせずにチップ先端からのインキ流出を行なうには、ボールが放射状溝５を塞ぐようなボール座径であってはならないのは周知であり、ボールのボール座との接触面積の増大によるボールの回転時の抵抗力の増大からくる書き味感の劣化等の筆記性能の低下という問題もあるので、ボールの最大断面積の３５％以下が良い。尚、ボール座の投影面積とは、ボールが底壁に接触した面積を平面上に投影して表した面積である。
【産業上の利用可能性】
【００２７】
油性インキ、剪断減粘性インキ、水性インキ等、インキの種類やインキ粘度に限定されることなく実施可能である。
【図面の簡単な説明】
【００２８】
【図１】実施例１のボールペンチップを示す一部省略した縦断面図である。
【図２】図１における４５度回転させた状態を示す一部省略した縦断面図である。
【図３】図１におけるボール座を形成する前の状態を示す、ボールを省略したＡ−Ａ断面図である。
【図４】実施例２のボールペンチップを示す一部省略した縦断面図である。
【図５】図４における４５度回転させた状態を示す一部省略した縦断面図である。
【図６】図４におけるボール座を形成する前の状態を示す、ボールを省略したＡ−Ａ断面図である。
【図７】本発明のボールペンチップを装着したボールペンの一部省略した縦断面図である。
【符号の説明】
【００２９】
１、２１  ボールペンチップ
２  、２２  ボール抱持室
３  、２３  インキ流通孔
４、２４  底壁
５、２５  インキ流通溝
６、２６  インキ流通溝
７、２７  ボール座
８、２８  チップ先端部
９、２９  かしめ部
１０、３０  チップ後部孔
１１  ボール
４１  ボールペン
【図１】
2006289807.tif 000003
【図２】
2006289807.tif 000004
【図３】
2006289807.tif 000005
【図４】
2006289807.tif 000006
【図５】
2006289807.tif 000007
【図６】
2006289807.tif 000008
【図７】
2006289807.tif 000009